(57)【要約】【課題】盤面交換のコストを抑制し環境保護を推進するとともに、交換作業性を改善した弾球遊技機を提供する。【解決手段】遊技盤１０を収容保持する前枠２の後方に位置し遊技盤１０の後面側を覆って配設される裏セット盤３０に液晶表示パネル５０が設けられ、遊技盤１０に遊技機の作動を統括的に制御する主制御基板４２と、主制御基板から入力される演出指令信号に基づいて画像表示器５０に画像を表示させる演出制御基板４４とが設けられる。遊技盤１０には画像表示器５０を遊技機正面から視認可能に臨ませる窓部１５ｂが設けられ、主制御基板４２及び演出制御基板４４が、この窓部１５ｂよりも下方かつ遊技盤の下端面よりも上方に設けられて弾球遊技機が構成される。【選択図】図１
2010131244.tif 000002
【特許請求の範囲】
【請求項１】
前面側に遊技領域が形成される遊技盤と、
前記遊技盤を立設姿勢で着脱可能に収容保持する前枠と、
前記前枠の後方に位置し常には前記遊技盤の後面側を覆って配設される裏セット盤と、
遊技機の作動を統括的に制御する主制御基板と、
画像を表示する表示部を有する画像表示器と、
前記主制御基板から入力される演出指令信号に基づいて前記画像表示器に画像制御信号を出力し、前記表示部に遊技展開に応じた画像を表示させる演出制御基板とを備え、
前記画像表示器が前記遊技盤の背後に位置して前記裏セット盤に設けられるとともに、前記表示部を遊技機正面から視認可能に臨ませる窓部が前記遊技盤に設けられ、
前記主制御基板および前記演出制御基板が、前記窓部よりも下方かつ前記遊技盤の下端面よりも上方の前記遊技盤の後面下部領域に設けられることを特徴とする弾球遊技機。
【請求項２】
前記演出制御基板は、前記遊技展開に応じた画像の表示を含み前記前枠に収容される遊技盤の種別に応じて相違する演出機能を実現するための制御要素により構成され、
前記演出制御基板から出力される音響制御信号を増幅して遊技機前面側に設けられたスピーカに出力する増幅器を含み、前記前枠に収容される遊技盤の種別にかかわらず共通の演出機能を実現するための制御要素により構成された枠演出接続基板を備え、
前記枠演出接続基板は、前記前枠に設けられることを特徴とする請求項１に記載の弾球遊技機。
【請求項３】
前記演出制御基板および前記主制御基板が前記遊技盤の後面下部領域に前後に重複して配設され、
前記画像表示器と前記主制御基板とが弾球遊技機の背面視において上下に並んで視認可能に配設されることを特徴とする請求項１または２に記載の弾球遊技機。
【請求項４】
前記主制御基板から入力される払出指令信号に基づいて球払出装置の作動を制御する枠制御基板を有し、
前記枠演出接続基板および前記枠制御基板が前記前枠の背面下部に前後に重複して配設され、
前記主制御基板と前記枠制御基板とが弾球遊技機の背面視において上下に並んで視認可能に配設されることを特徴とする請求項１〜３のいずれかに記載の弾球遊技機。
【発明の詳細な説明】
【技術分野】
【０００１】
本発明は、遊技盤を立設姿勢で着脱可能に収容保持する前枠と、前枠の後方に遊技盤の後面側を覆って配設される裏セット盤と、前面の表示部が遊技機正面に臨んで配設され遊技展開に応じた画像を表示する画像表示器とを備えた弾球遊技機に関する。
【背景技術】
【０００２】
上記のような弾球遊技機の代表例として、パチンコ機があげられる。パチンコ機は、遊技盤を立設姿勢で着脱可能に収容保持する前枠と、前枠の後面側に横開き開閉可能に設けられ常には遊技盤の背後を覆って配設される裏セット盤と、前面の表示部が遊技機正面に臨んで配設され遊技展開に応じた画像を表示する画像表示器などを備えて構成される。画像表示器は、多様な画像表示による遊技展開の複雑化を可能とするため、一般的に、液晶表示パネルなどのカラー画像表示器が用いられ、よりダイナミックな画像演出を可能とするため、画像表示器の大型化が進展している。
【０００３】
一方、パチンコ機は、ある程度の期間遊技に供されると遊技者の関心が離れ、稼働率が低下する。このような場合に、いわゆる盤面替えと称される新台の入れ替え作業によって遊技盤が交換されると、比較的高額な画像表示器が本来の寿命よりもはるかに短い使用期間で廃棄されることとなり、新台入れ替えのコスト面でも環境保護の面でも好ましくない。そのため、近年では、画像表示器を裏セット盤に設けることにより、遊技盤が入れ替えられても、画像表示器はそのまま利用可能とした構成の弾球遊技機が提案されている（例えば特許文献１を参照）。
【特許文献１】特開２００５−３０５０３２号公報
【発明の開示】
【発明が解決しようとする課題】
【０００４】
しかしながら、上記特許文献に提案された弾球遊技機では、遊技盤の機種やバージョンなどの種別に応じて記録内容が相違する画像ＲＯＭや音声ＲＯＭ、処理内容が相違するＣＰＵ等を備え、遊技展開に応じて主制御基板から入力される演出指令信号に基づいた画像制御信号を画像表示器に出力してグラフィック表示を行わせる演出制御基板が、画像表示器の背後に配設されていた。このため、新台入れ替えのコスト面や環境保護の面で一定の効果を得られるものの、新台入れ替え時には遊技盤の交換作業と、演出制御基板の交換作業の両方を行う必要が生じ、入れ替え作業が煩雑であるという課題があった。
【０００５】
また、弾球遊技機の前後方向の厚さは、遊技機が取り付けられる遊技島の内部構造による制約から拡大することが難しい。そのため、画像表示器の後面側に演出制御基板が配設されると、演出制御基板の厚さに応じて画像表示器が遊技盤に近くなり、画像表示器の前方に奥行きのある遊技領域を確保しがたいという課題があった。
【０００６】
本発明は、上記のような課題に鑑みてなされたものであり、画像表示器を再利用して遊技盤交換時のコストを抑制し環境保護を推進するとともに、遊技盤交換の作業性を改善し、併せて、画像表示器前面側の遊技領域を拡大可能な弾球遊技機を提供することを目的とする。
【課題を解決するための手段】
【０００７】
上記目的を達成するため、本発明に係る弾球遊技機は、前面側に遊技領域が形成される遊技盤と、この遊技盤を立設姿勢で着脱可能に収容保持する前枠と、前枠の後方に位置し常には遊技盤の後面側を覆って配設される裏セット盤と、遊技機の作動を統括的に制御する主制御基板と、画像を表示する表示部を有する画像表示器（例えば、実施形態における液晶表示パネル５０）と、主制御基板から入力される演出指令信号に基づいて画像表示器に画像制御信号を出力し表示部に遊技展開に応じた画像を表示させる演出制御基板とを備え、画像表示器が遊技盤の背後に位置して裏セット盤に設けられるとともに、表示部を遊技機正面から視認可能に臨ませる窓部（例えば、実施形態における中央飾りの囲壁装飾枠１５ｂ）が遊技盤に設けられ、主制御基板および演出制御基板が窓部よりも下方かつ遊技盤の下端面よりも上方の遊技盤の後面下部領域に設けられて構成される。
【０００８】
本発明において、演出制御基板は、遊技展開に応じた画像の表示を含み前枠に収容される遊技盤の種別に応じて相違する演出機能を実現するための制御要素（例えば、実施形態における第１制御ＲＯＭ４４１、第２制御ＲＯＭ４４２、第１演算処理部４４３、第２演算処理部４４４など）により構成され、演出制御基板から出力される音響制御信号を増幅して遊技機前面側に設けられたスピーカに出力する増幅器を含み、前枠に収容される遊技盤の種別にかかわらず共通の演出機能を実現するための制御要素（例えば、実施形態におけるガラス枠インターフェース４５３、増幅器４５６など）により構成された枠演出接続基板を備え、この枠演出接続基板は前枠に設けられるように構成することが好ましい。すなわち、従来一体に構成されていた演出基板を、遊技盤と同時に交換が必要な当該遊技盤固有の制御要素からなる演出制御基板と、音響信号を増幅する増幅器等のように遊技盤の種別によらず共通の制御要素により構成される枠演出接続基板とに分離し、遊技盤と一体交換の必要がない枠演出接続基板を前枠に設けて構成する。
【０００９】
なお、演出制御基板および主制御基板が遊技盤の後面下部領域に前後に重複して配設され、画像表示器と主制御基板とが弾球遊技機の背面視において上下に並んで視認可能に配設されることが好ましい。また、主制御基板から入力される払出指令信号に基づいて球払出装置の作動を制御する枠制御基板を有し、枠演出接続基板および枠制御基板が前枠の背面下部に前後に重複して配設され、主制御基板と枠制御基板とが弾球遊技機の背面視において上下に並んで視認可能に配設されることが好ましい。
【発明の効果】
【００１０】
本発明によれば、遊技盤に画像表示器の表示部を遊技機正面から視認可能に臨ませる窓部が設けられ、画像表示器がその背後に位置して裏セット盤に設けられ、主制御基板および演出制御基板が窓部よりも下方かつ遊技盤の下端面よりも上方の遊技盤の後面下部領域に設けられる。このため、新台入れ替えや入賞装置の故障等により遊技盤が着脱交換されても、画像表示器をそのまま再利用することができる。また、前枠に収容された遊技盤を着脱交換すると、これとともに当該遊技盤に固有の主制御基板および演出制御基板が一体的に交換される。さらに、演出制御基板が遊技盤の後面下部領域に配設されるため、画像表示器を裏セット盤の最後部に配置することができ、画像表示器の前方に奥行きのある遊技領域を確保することが可能となる。従って、本発明によれば、遊技盤交換時のコストを抑制し環境保護を推進するとともに、遊技盤の着脱交換の作業性を改善し、併せて、画像表示器前面側の遊技領域を拡大可能な弾球遊技機を提供することができる。
【００１１】
本発明において、演出制御基板を遊技盤の種別に応じて相違する当該遊技盤固有の制御要素により構成し、枠演出接続基板を遊技盤の種別によらない共通の制御要素により構成して、演出制御基板を遊技盤の後面下部領域に設け、枠演出接続基板を前枠に設けた構成によれば、遊技盤と一体交換する必要性の低い共通制御要素をそのまま利用して、遊技盤交換時のコスト抑制および環境保護をさらに推進することができる。また、近年では、グラフィック表示の多様化、高度化に伴って主制御基板からのコマンドを処理するＣＰＵやビジュアルデータを処理するＶＤＰ、音源ＩＣなどの各制御要素が大型化して演出基板が大型化する傾向にあり、遊技盤の後面下部領域では設置面積が不足するという問題を生じ得るが、本発明によれば、遊技盤固有の制御要素により演出制御基板を構成することにより遊技盤の後面下部領域に設置可能に小型化することができ、これにより高度な演出処理と交換作業性とを両立させることが可能となる。
【００１２】
なお、演出制御基板および主制御基板を遊技盤の後面下部領域に前後に重複配設し、画像表示器と主制御基板とが背面視において上下に並んで視認可能に配設されるような構成によれば、主制御基板が視認可能であるという規制要件を満たし、画像表示器を最大限大型化できるとともに、画像表示器の前方に広く奥行きのある遊技領域を確保することができる。また、枠演出接続基板および枠制御基板を前枠の背面下部に前後に重複して配設し、主制御基板と枠制御基板とが背面視において上下に並んで視認可能に配設されるような構成によれば、払出制御機能を有する枠制御基板が視認可能であるという規制要件を満たしたうえで、前枠側に配設される基板の設置高さを抑制することができ、これにより遊技盤の高さ寸法を拡大し、遊技領域の面積を拡大することが可能となる。
【発明を実施するための最良の形態】
【００１３】
以下、本発明の好ましい実施形態について図面を参照して説明する。本発明を適用した弾球遊技機の代表例として、パチンコ機ＰＭの正面図及び背面図をそれぞれ図２及び図３に、図２中のI−I矢視の側断面図を図１に、パチンコ機ＰＭの分解斜視図を図４に示すとともに、このパチンコ機に装着される遊技盤の例として示す遊技盤１０の正面図、背面図及び側断面図をそれぞれ図５，６，７に示しており、これらの図面を参照しながらパチンコ機ＰＭの全体構成について概要説明する。
【００１４】
パチンコ機ＰＭは、外郭方形枠サイズに枠組みされて縦向きの固定保持枠をなす外枠１の開口前面に、これに合わせた方形枠サイズの開閉搭載用の前枠２が正面左側に配設されたヒンジ機構３ａ，３ｂにより支持されて前方に横開き開閉及び着脱が可能に取り付けられ、正面右側に設けられたダブル錠と称される施錠装置４を利用して外枠１と係合された閉鎖状態に保持される。
【００１５】
前枠２の前方には、前枠２の前面域に合わせた方形枠状で中央上部に複層ガラス６が装着されたガラス枠５が互いの左側縁上下に設けられたヒンジ機構７ａ，７ｂにより前方に横開き開閉および着脱が可能に支持されており、常には施錠装置４により前枠２の前面を覆う閉鎖状態に保持される。前枠２の上部領域には、遊技盤１０を立設姿勢で収容保持する収容枠２１が設けられており、この収容枠２１に遊技盤１０が前枠後面側から着脱可能に収容されて固定され、常には前枠前面を覆って閉鎖保持されるガラス枠５の複層ガラス６を透視して前面の遊技領域を視認可能に臨ませるようになっている。
【００１６】
図２および４においては遊技盤１０の詳細構成の記載を省略するが、遊技盤１０は所定板厚の積層合板にセルを貼付し、あるいは透明な樹脂製の板材を用いた化粧板１１を基板として構成され、化粧板１１の前面に固定されて上向きに開く内レール１２と、前枠２に形成されたアーチ状の外レール２２とに囲まれて縦長円形の遊技領域ＰＡが区画形成される。遊技領域ＰＡには、多数本の遊技釘、風車、中央飾り、各種入賞具などの遊技構成部品が設けられ、遊技領域ＰＡの下端部には入賞具に落入することなく落下した遊技球を裏面側に排出させるアウト口が化粧板１１を前後に貫通して形成されている。遊技盤１０の後面側の下部領域には、後に詳述する球寄せカバー１７、主制御基板４２、演出制御基板４４などが設けられる。
【００１７】
収容枠２１の下側に位置する前枠２の下部領域には、遊技補助盤と称される補助機構部が設けられており、この遊技補助盤に、遊技球を発射する遊技球発射装置２４や、遊技領域に到達することなく戻ってきたファール球を回収するファール球回収通路などが設けられている。遊技補助盤の前方を覆うガラス枠５の下部には、前面側に遊技球を貯留する上下の球皿８ａ，８ｂが設けられ、後面側には上球皿８ａに貯留された遊技球を、１球ずつ遊技球発射装置２４に送り出す整流器２５が設けられている。ガラス枠５の前面上部にはスピーカ２６が設けられ、前面下部には、上球皿８ａにチャンスボタン２７、下球皿８ｂの右側方に発射ハンドル９が取り付けられている。
【００１８】
一方、前枠２の後方に位置して裏セット盤３０が設けられている。裏セット盤３０は、上下左右の枠部を有して外枠１の内寸よりも幾分小型の矩形枠状に形成された基枠体３１をベースとし、正面視左側上下に配設されたヒンジ機構を介して前枠後方に横開き開閉及び着脱が可能に連結されており、常には収容枠２１に収容された遊技盤１０の後面側を覆って配設される。基枠体３１の上方枠部３１Ｕには、多数の遊技球を貯留する球貯留タンク３２が取り付けられ、基枠体３１の左方枠部（背面視右側の枠部）３１Ｌには、球貯留タンク３２から整列状態で導かれた遊技球を整列状態で待機させる整列待機通路が形成された待機通路部材３３、及び整列待機通路に待機された遊技球を所定条件のもと払い出す球払出装置３４が取り付けられる。
【００１９】
基枠体３１の下方枠部３１Ｄには、球払出装置３４により払い出された遊技球を上球皿８ａに導く払出通路や、上球皿８ａが満杯の状態で払い出された遊技球を下球皿８ｂに導く溢れ玉通路、遊技盤１０から排出された遊技済み球を遊技島の回収樋に流下させる遊技済み球排出通路などの球通路構造３５が形成されている。また、下方枠部３１Ｄの後面側には、後述する電源基板４１、枠制御基板４３、枠演出接続基板４５などが取り付けられ、これらの制御基板とパチンコ機各部の電気・電子部品がコネクタケーブルで接続され、パチンコ機ＰＭが遊技可能に構成される。なお、前述した主制御基板や演出制御基板を含む各制御基板は、不正な改造行為を防止するため透明な樹脂製の基板ケースに収容された状態で取り付けられている。
【００２０】
このように概要構成されるパチンコ機ＰＭにあって、遊技展開に応じて種々の画像が表示される液晶表示パネル５０が、基枠体３１の後面側上部に取り付けられる。液晶表示パネル５０は、前面開放の矩形箱状に形成された透明樹脂製の保護ケース５１に収容されており、保護ケース５１の上部及び左右の側部には各々外方に突出する固定フランジ部５１ｆが形成されている。基枠体３１の上方枠部３１Ｕ及び左右の枠部３１Ｌ，３１Ｒには、固定フランジ部５１ｆに対応してパネル取付部が形成されており、このパネル取付部に固定フランジ部がネジ固定されて液晶表示パネル５０が基枠体３１の後面側から取り付けられ、パネル前面の表示部５５が裏セット盤３０の前面側から視認可能に配設される。
【００２１】
各図では、遊技領域ＰＡに設けられる中央飾りや入賞装置等の記載を省略しているが、遊技領域ＰＡの中央部には、化粧板１１を前後に貫通する中央飾り取付孔１３が開口形成され、この中央飾り取付孔１３に中央飾り１５が取り付けられる。中央飾り１５は、化粧板１１の前面に固定されて中央飾り取付孔の周縁を飾る前面装飾枠１５ａと、この前面装飾枠１５ａと繋がり中央飾り取付孔１３を通って後方に延びる箱枠状（角筒状）の囲壁装飾枠１５ｂとを有し、囲壁装飾枠１５ｂの後端が液晶表示パネル５０の表示部直前まで延びて構成される。
【００２２】
囲壁装飾枠１５ｂの開口面域は、裏セット盤３０に設けられる液晶表示パネル５０の表示サイズに合わせて形成されており、囲壁装飾枠１５ｂと複層ガラス６の後面と液晶表示パネル５０の前面とに囲まれて奥行きのある中央遊技領域ＣＰＡが形成され、この中央遊技領域ＣＰＡを通してパチンコ機ＰＭの正面から液晶表示パネルの表示部５５を視認可能になっている。なお、囲壁装飾枠１５ｂの内側または液晶表示パネルの表示部前方に、透明樹脂製の仕切板を設けてもよく、化粧板１１を透明樹脂により構成して、液晶表示パネル５０の表示部５５全体を視認可能に構成してもよい。
【００２３】
遊技盤１０の後面側には、化粧板１１の裏面側に排出された遊技済み球を集合させて基枠体の下方枠部３１Ｄに設けられた遊技済み球排出通路に流下させる球寄せカバー１７が設けられている。球寄せカバー１７は、中央飾り１５の外側を覆う蓋状に形成されて化粧板１１にビス止めされており、後面に囲壁装飾枠１５ｂの後端部を挿通させる開口が形成されている。そして、この球寄せカバー１７の下部領域を跨いで、化粧板１１の裏面下部にアーチ状の基板支持ブラケット１８が固定され、この基板支持ブラケット１８にパチンコ機ＰＭの作動を統括的に制御する主制御基板４２、パチンコ機ＰＭの演出制御を行う演出制御基板４４が取り付けられる。
【００２４】
一方、裏セット盤３０の後面側には、下方枠部３１Ｄに設けられた払出通路や溢れ玉通路、遊技済み球排出通路などの球通路構造３５の後方に基板支持ブラケット３８が固定され、この基板支持ブラケット３８に、遊技施設側から受電して各制御基板や電気・電子部品に電力を供給する電源基板４１、主制御基板４２から入力される払出指令信号に基づいて球払出装置３４の作動を制御し、遊技球発射装置２４の作動を制御する枠制御基板４３、演出制御基板４４から入力される演出制御信号に基づいた作動を実行する枠演出接続基板４５などが取り付けられる。
【００２５】
ここで、演出制御基板４４及び枠演出接続基板４５は、パチンコ機ＰＭの各部に設けられた遊技演出用の表示機器やアクチュエータ、音響機器などの演出用機器の作動を制御し、遊技盤１０において展開される遊技に応じた演出を実現するための回路基板であり、従来は演出基板として一体に構成されていた回路基板である。遊技演出用の表示機器として、遊技盤１０に設けられた各種のＬＥＤやランプ（ランプ等という）、ガラス枠５に設けられたランプ等やチャンスボタン２７、裏セット盤３０に設けられた液晶表示パネル５０などが例示され、アクチュエータとして遊技盤１０に設けられた各種入賞装置駆動用のソレノイドやモータ、発射ハンドル９に設けられたバイブレータ、音響機器としてガラス枠５に設けられたスピーカ２６やブザーなどが例示される。
【００２６】
上記例示からも明らかなように、遊技盤の種別（型式）が異なると、遊技盤に搭載される演出用機器の形式や動作が異なり、液晶表示パネル５０に表示される画像やスピーカ２６等から出力される音声は展開される遊技に応じて異なったものとなる。すなわち、パチンコ機のような遊技機は、前枠２に収容される遊技盤１０の種別に応じて、演出用機器の制御内容が異なったものとなる。一方、演出用機器に出力される信号の具体的な内容（コンテンツ）が遊技盤ごとに相違しても、ガラス枠５に設けられたランプ等を点滅させるためのインターフェースやスピーカ２６を駆動可能な電圧まで増幅する増幅器などは、前枠２に収容される遊技盤１０の種別によらず共通である。
【００２７】
そこで、パチンコ機ＰＭにおいては、従来一体に構成され裏セット盤に設けられていた演出基板を、遊技盤１０の種別に応じて相違する演出機能を実現するための制御要素により構成される演出制御基板４４と、遊技盤１０の種別にかかわらず共通の演出機能を実現するための制御要素により構成される枠演出接続基板４５とに分割し、遊技盤固有の演出機能を実現するための制御要素により構成される演出制御基板４４を遊技盤１０に設け、共通の演出機能を実現するための制御要素により構成される枠演出接続基板４５を裏セット盤３０に設けている。
【００２８】
これを基板の制御内容からみると、演出制御基板４４は、主制御基板４２から出力され演出制御基板４４に入力される演出指令信号を受け、遊技盤１０の構成及び遊技の展開状況に応じたランプ制御信号、アクチュエータ制御信号、画像制御信号、音響制御信号などの演出制御信号を生成し出力する。枠演出接続基板４５は、演出制御基板４４から出力され枠演出接続基板４５に入力される演出制御信号を受け、ガラス枠５や前枠２等の遊技機本体側に設けられた演出用機器を作動させるのに適した駆動信号に変換して出力する。
【００２９】
図８は、このように機能分割された演出制御基板４４と枠演出接続基板４５の構成例をブロック図として示したものである。演出制御基板４４は、ランプ等及びアクチュエータに関する演出制御プログラムが設定記憶された第１制御ＲＯＭ４４１、音響及び画像に関する演出制御プログラムが設定記憶された第２制御ＲＯＭ４４２、ランプ等及びアクチュエータの作動制御を実行する第１演算処理部（ＣＰＵ１）４４３、画像及び音響に関する制御を実行する第２演算処理部（ＣＰＵ２）４４４、ＶＤＰ（Video Display Processor）４４５、音源ＩＣ４４６、及びこれらの遊技盤固有の制御要素４４１〜４４６を安定作動させる好適な電力に調整して各制御要素に供給する内部電源４４７などを備えて構成される。
【００３０】
第１演算処理部４４３は、主制御基板４２から入力される演出指令信号を受信し、第１制御ＲＯＭ４４１に設定記憶された演出制御プログラムに基づいてランプ制御信号及びアクチュエータ制御信号を生成する。そしてこれらの制御信号を遊技盤１０に設けられた盤面接続基板１９と、ガラス枠５に設けられた枠演出接続基板のガラス枠インターフェース４５３とに出力し、遊技盤１０及びガラス枠５のランプ制御及びアクチュエータ制御を実行する。
【００３１】
第２演算処理部４４４は、主制御基板４２から第１演算処理部４４３を介して入力される画像及び音響の演出指令信号（画像指令信号、音響指令信号）を受信し、第２制御ＲＯＭ４４２に設定記憶された演出制御プログラムに基づいて画像制御、音響制御を実行する。画像制御信号と音響制御信号の出力は、ＶＤＰ４４５及び音源ＩＣ４４６を介して行われ、ＶＤＰ４４５は、第２演算処理部４４４からの画像リクエストに応じて画像ＲＯＭに設定記憶された画像データを読み込み、これを画像処理して生成した画像制御信号（ビデオ信号）を液晶表示パネル５０に出力する。音源ＩＣ４４６は第２演算処理部４４４からの音響リクエストに応じて音声ＲＯＭに設定記憶された音響データを読み込み、これを合成処理して生成した音響制御信号を枠演出接続基板４５に出力する。
【００３２】
枠演出接続基板４５には、演出制御基板４４の第１演算処理部４４３から入力されるガラス枠５のランプ制御信号を受信してガラス枠５の各部に設けられたランプ等を点滅させチャンスボタン２７のスイッチ操作等を媒介するガラス枠インターフェース４５３と、演出制御基板４４の音源ＩＣ４４６から入力される音響制御信号を受信し、この音響制御信号をガラス枠５に設けられたスピーカ２６を駆動するのに適したスピーカ駆動信号に増幅する増幅器４５６と、このような制御要素４５３，４５６を安定作動させる適切な電力に調整して各制御要素に供給する内部電源４５７などを備えて構成される。なお、内部電源４５７は、電源基板４１から受電した電力を演出制御基板４４の安定作動に適した電力に調整して演出制御基板４４の内部電源４４７に供給する機能も備えており、パチンコ機ＰＭの電力供給系統を単純化・明瞭化するとともに、配線作業を容易化した構成になっている。
【００３３】
こうして機能分割により小型化され、遊技盤１０に固有の演出制御基板４４が、遊技盤１０の後面下部に設けられた基板支持ブラケット１８に取り付けられ、同様に当該遊技盤１０に固有の主制御基板４２が、演出制御基板４４と前後に重複して、演出制御基板４４の後方に取り付けられる。そして、遊技盤１０において、主制御基板４２と演出制御基板４４の第１演算処理部４４３、演出制御基板４４の第１演算処理部４４３との盤面接続基板１９とが電気的に接続される。
【００３４】
このとき、演出制御基板４４及び主制御基板４２は、中央飾り１５に形成された囲壁装飾枠１５ｂよりも下方かつ遊技盤１０の下端面よりも上方に位置して遊技盤１０の後面下部領域に設けられる。さらに、図７中に二点鎖線を付記して示すように、これらの基板ケース底面が、遊技盤１０の下端面に近接してわずかに上方に位置し、遊技盤１０が組み立てられた状態で自立するように構成される。そのため、遊技盤１０を立設姿勢で安定的に自立させておくことができ、これにより、生産工場における組み立て工程や遊技施設における遊技盤の着脱交換作業等において遊技盤を転倒させてしまうようなことがなく、生産性や交換作業性を向上させることができる。
【００３５】
また、遊技盤１０の種別によらない共通の枠演出接続基板４５が、裏セット盤３０後面下部に設けられた基板支持ブラケット３８に電源基板４１と左右に並んで取り付けられ、同様に遊技盤１０の種別によらない共通の枠制御基板４３が、枠演出接続基板４５及び電源基板４１と前後に重複してこれらの制御基板４１，４５の後方に取り付けられる。そして、演出制御基板４４の第１演算処理部４４３とガラス枠５のガラス枠インターフェース４５３、演出制御基板４４のＶＤＰ４４５と液晶表示パネル５０、演出制御基板４４の音源ＩＣ４４６と枠演出接続基板４５の増幅器４５６とがそれぞれ電気的に接続される。また、電源基板４１と枠演出接続基板４５、枠演出接続基板４５と演出制御基板４４とが相互に電気接続され、演出制御に必要な電力が枠演出接続基板４５を介して演出制御基板４４に供給される。
【００３６】
これにより、遊技盤１０において展開される遊技に応じて主制御基板４２から演出制御基板４４に入力された演出指令信号に基づいて、演出制御基板４４からパチンコ機の各演出用機器に演出制御信号が出力され、遊技展開に合致した演出が実現される。例えば、演出制御基板４４のＶＤＰ４４５から液晶表示パネル５０に画像制御信号が出力されて液晶表示パネルの表示部５５に遊技展開に合致した画像が表示され、演出制御基板４４の音源ＩＣ４４６から枠演出接続基板４５に出力された音響制御信号が増幅器４５６により増幅されてスピーカ２６から出力される。また、所定の入賞条件成立時には演出制御基板４４の第１演算処理部４４３から盤面接続基板１９にアクチュエータ制御信号が出力され、入賞装置のソレノイドが駆動されて大入賞口の開閉等が行われる。
【００３７】
このような演出制御の回路構成を備えたパチンコ機ＰＭによれば、盤面交換等により遊技盤１０を着脱交換する際に、遊技盤１０の種別に応じた固有の制御要素により構成される主制御基板４２及び演出制御基板４４を遊技盤１０とともに一体的に交換でき、作業工数を削減して良好な交換作業性を獲得できるとともに、遊技盤１０と一体交換する必要性が低い共通制御要素からなる枠演出接続基板４５をそのまま継続使用して、盤面交換時に発生する費用の抑制および環境保護を推進することができる。また、枠演出接続基板４５との機能分割により演出制御基板４４を遊技盤１０の後面下部領域に設置可能なサイズに小型化することができ、これにより高度な演出処理と交換作業性とを両立させることができる。
【００３８】
また、前枠２に遊技盤１０を収容保持させ、その後方を覆って裏セット盤３０を閉止すると、裏セット盤３０の最後部に位置して上方に液晶表示パネル５０、下方に枠制御基板４３が配設され、この液晶表示パネル５０と枠制御基板４３との間に遊技盤１０の最後部に設けられた主制御基板４２が配設される。つまり、パチンコ機ＰＭを後方から見た背面視において、上方から順に液晶表示パネル５０、主制御基板４２、枠制御基板４３が機体の最後部に並んで配設される。
【００３９】
そのため、遊技において「当り」の発生を制御する主制御基板４２や、球払出装置３４の作動を制御する枠制御基板４３について、不正行為を防止するため保護ケース内の制御基板が目視検査可能であるとの規制要件を満たし、かつ液晶表示パネル５０を最大限大型化できるとともに、液晶表示パネル５０の前方に、広く奥行きのある中央遊技領域ＣＰＡを確保することができる。例えば、演出基板が液晶表示パネルの後方に設けられていた従来のパチンコ機では遊技球４個分ぐらいが限界とされた中央遊技領域ＣＰＡの奥行きを、遊技球６個分程度まで拡大することが可能となる。また、遊技盤の種別によらない共通の演出機能を実現するための制御要素で枠演出接続基板４５を構成することにより、裏セット盤３０側に配設される枠演出接続基板４５の高さ寸法を抑制することができ、これにより遊技盤１０の高さ寸法を下方に拡大して遊技領域ＰＡの面積を拡大することも可能となる。
【００４０】
以上説明したように、本発明を適用したパチンコ機によれば、液晶表示パネル５０を再利用して遊技盤交換時のコストを抑制し環境保護を推進するとともに、遊技盤交換の作業性を改善することができ、かつ液晶表示パネル５０前方の中央遊技領域ＣＰＡを拡大することができる。
【００４１】
なお、実施形態では、本発明をパチンコ機に適用した事例について説明したが、アレンジボール機や雀球遊技機などの他の弾球遊技機に適用することができ、同様の効果を得ることができる。
【図面の簡単な説明】
【００４２】
【図１】図２中のI−I矢視の側断面図である。
【図２】本発明を適用した弾球遊技機の一例として示すパチンコ機の正面図である。
【図３】上記パチンコ機の背面図である。
【図４】上記パチンコ機の分解斜視図である。
【図５】上記パチンコ機に装着される遊技盤の例として示す遊技盤の正面図である。
【図６】上記遊技盤の背面図である。
【図７】上記遊技盤の中央での側断面図である。
【図８】演出制御基板と枠演出接続基板の構成例を示すブロック図である。
【符号の説明】
【００４３】
ＰＭ  パチンコ機（弾球遊技機）
ＰＡ  遊技領域
ＣＰＡ  中央遊技領域
２  前枠
５  ガラス枠
１０  遊技盤
１３  中央飾り取付孔
１５  中央飾り
１５ｂ  囲壁装飾枠（窓部）
３０  裏セット盤
４２  主制御基板
４３  枠制御基板
４４  演出制御基板
４５  枠演出接続基板
５０  液晶表示パネル（画像表示器）
５５  表示部
４４１  第１制御ＲＯＭ
４４２  第２制御ＲＯＭ
４４３  第１演算処理部
４４４  第２演算処理部
４４５  ＶＤＰ（Video
Display Processor）
４４６  音源ＩＣ
４５３  ガラス枠インターフェース
４５６  増幅器
【図１】
2010131244.tif 000003
【図２】
2010131244.tif 000004
【図３】
2010131244.tif 000005
【図４】
2010131244.tif 000006
【図５】
2010131244.tif 000007
【図６】
2010131244.tif 000008
【図７】
2010131244.tif 000009
【図８】
2010131244.tif 000010